【手続補正書】
【提出日】平成20年1月22日(2008.1.22)
【手続補正１】
【補正対象書類名】明細書
【補正対象項目名】特許請求の範囲
【補正方法】変更
【補正の内容】
【特許請求の範囲】
【請求項１】  少なくとも現像手段を含むカートリッジが着脱可能であって、像担持体と、前記像担持体に形成されたトナー像を転写材に転写する転写手段と、前記像担持体に形成されたトナー像の濃度を検知するセンサとを有し、前記センサの検知結果に基づいて、前記像担持体に形成されるトナー像の濃度を調整する制御手段を有する画像形成装置において、
前記像担持体から前記転写材にトナー像を転写する際の転写効率の変化に応じてトナー像の濃度を補正するための補正値を記憶する記憶手段を有し、
前記制御手段は、前記カートリッジの消耗度と前記記憶手段に記憶された前記補正値とに応じて、前記像担持体に形成されるトナー像の濃度を調整することを特徴とする画像形成装置。
【請求項２】  前記記憶手段は更に前記カートリッジの消耗度を記憶し、
前記カートリッジに前記記憶手段が搭載されることを特徴とする請求項１に記載の画像形成装置。
【請求項３】  前記制御手段は、前記カートリッジの消耗度と前記記憶手段に記憶された前記補正量とに応じて前記現像手段に印加される電圧を変更することを特徴とする請求項１または２に記載の画像形成装置。
【請求項４】  前記制御手段は、前記カートリッジの消耗度と前記記憶手段に記憶された前記補正量とに応じて前記像担持体に形成されるトナー像の濃度目標値を変更することを特徴とする請求項１または２に記載の画像形成装置。
【請求項５】  前記制御手段は、前記カートリッジの消耗度と前記記憶手段に記憶された前記補正量とに応じて前記像担持体上のトナー像の濃度を検出する際の濃度変換テーブルを用いて前記像担持体に形成されるトナー像の濃度を調整することを特徴とする請求項１または２に記載の画像形成装置。
【請求項６】  更に、前記像担持体に形成されたトナー像が一次転写される第２の像担持体を有し、前記センサによって前記第２の像担持体に一次転写されたトナー像の濃度が検知され、前記制御手段は、前記センサの検知結果に基づいて前記一次転写する際の転写条件を調整することを特徴とする請求項１または２に記載の画像形成装置。
【請求項７】  前記カートリッジは、さらに、前記像担持体と、前記像担持体を帯電する帯電手段および前記像担持体をクリーニングするクリーニング手段の少なくとも一方とを一体的に含むプロセスカートリッジであることを特徴とする請求項１乃至６のいずれかの項に記載の画像形成装置。
【請求項８】  像担持体に形成されたトナー像を転写材に転写する転写手段と、前記像担持体に形成されたトナー像の濃度を検知するセンサとを有し、前記センサの検知結果に基づいて、前記像担持体に形成されるトナー像の濃度を調整する制御手段を有する画像形成装置に着脱可能に装着されるカートリッジにおいて、
前記像担持体にトナー像を形成するための現像手段と、
前記像担持体から前記転写材にトナー像を転写する際の転写効率の変化に応じてトナー像の濃度を補正するための補正値を記憶する記憶手段とを有し、
前記カートリッジの消耗度と前記記憶手段に記憶された補正値とに応じて、前記制御手段によって前記像担持体に形成されるトナー像の濃度が調整されることを特徴とするカートリッジ。
【請求項９】  更に、前記カートリッジの消耗度が前記記憶手段に記憶されることを特徴とする請求項１０のカートリッジ。
【請求項１０】  前記カートリッジは、さらに、前記像担持体と、前記像担持体を帯電する帯電手段および前記像担持体をクリーニングするクリーニング手段の少なくとも一方とを一体的に含むプロセスカートリッジであることを特徴とする請求項８または９に記載のカートリッジ。
【手続補正２】
【補正対象書類名】明細書
【補正対象項目名】００１８
【補正方法】変更
【補正の内容】
【００１８】
【課題を解決するための手段】
上記目的は本発明に係る画像形成装置およびカートリッジにて達成される。要約すれば、本発明は、少なくとも現像手段を含むカートリッジが着脱可能であって、像担持体と、前記像担持体に形成されたトナー像を転写材に転写する転写手段と、前記像担持体に形成されたトナー像の濃度を検知するセンサとを有し、前記センサの検知結果に基づいて、前記像担持体に形成されるトナー像の濃度を調整する制御手段を有する画像形成装置において、
前記像担持体から前記転写材にトナー像を転写する際の転写効率の変化に応じてトナー像の濃度を補正するための補正値を記憶する記憶手段を有し、
前記制御手段は、前記カートリッジの消耗度と前記記憶手段に記憶された前記補正値とに応じて、前記像担持体に形成されるトナー像の濃度を調整することを特徴とする画像形成装置である。
【手続補正３】
【補正対象書類名】明細書
【補正対象項目名】００１９
【補正方法】変更
【補正の内容】
【００１９】
本発明による一実施態様によると、前記記憶手段は更に前記カートリッジの消耗度を記憶し、前記カートリッジに前記記憶手段が搭載される。
【手続補正４】
【補正対象書類名】明細書
【補正対象項目名】００２０
【補正方法】変更
【補正の内容】
【００２０】
本発明の他の実施態様によると、前記制御手段は、前記カートリッジの消耗度と前記記憶手段に記憶された前記補正量とに応じて前記現像手段に印加される電圧を変更する。他の実施態様によると、前記制御手段は、前記カートリッジの消耗度と前記記憶手段に記憶された前記補正量とに応じて前記像担持体に形成されるトナー像の濃度目標値を変更する。他の実施態様によると、前記制御手段は、前記カートリッジの消耗度と前記記憶手段に記憶された前記補正量とに応じて前記像担持体上のトナー像の濃度を検出する際の濃度変換テーブルを用いて前記像担持体に形成されるトナー像の濃度を調整する。
【手続補正５】
【補正対象書類名】明細書
【補正対象項目名】００２１
【補正方法】変更
【補正の内容】
【００２１】
本発明の他の実施態様によると、更に、前記像担持体に形成されたトナー像が一次転写される第２の像担持体を有し、前記センサによって前記第２の像担持体に一次転写されたトナー像の濃度が検知され、前記制御手段は、前記センサの検知結果に基づいて前記一次転写する際の転写条件を調整する。
【手続補正６】
【補正対象書類名】明細書
【補正対象項目名】００２２
【補正方法】変更
【補正の内容】
【００２２】
本発明による他の態様によると、像担持体に形成されたトナー像を転写材に転写する転写手段と、前記像担持体に形成されたトナー像の濃度を検知するセンサとを有し、前記センサの検知結果に基づいて、前記像担持体に形成されるトナー像の濃度を調整する制御手段を有する画像形成装置に着脱可能に装着されるカートリッジにおいて、
前記像担持体にトナー像を形成するための現像手段と、
前記像担持体から前記転写材にトナー像を転写する際の転写効率の変化に応じてトナー像の濃度を補正するための補正値を記憶する記憶手段とを有し、
前記カートリッジの消耗度と前記記憶手段に記憶された補正値とに応じて、前記制御手段によって前記像担持体に形成されるトナー像の濃度が調整されることを特徴とするカートリッジが提供される。
【手続補正７】
【補正対象書類名】明細書
【補正対象項目名】００２３
【補正方法】変更
【補正の内容】
【００２３】
上記各発明における一実施態様によると、更に、前記カートリッジの消耗度が前記記憶手段に記憶される。
【手続補正８】
【補正対象書類名】明細書
【補正対象項目名】００２４
【補正方法】変更
【補正の内容】
【００２４】
上記各発明における他の実施態様によると、前記カートリッジは、さらに、前記像担持体と、前記像担持体を帯電する帯電手段および前記像担持体をクリーニングするクリーニング手段の少なくとも一方とを一体的に含むプロセスカートリッジである。